(57)【要約】      （修正有）【課題】クレジットカード等のカードのＩＣチップ切替に伴う負荷を低減し、旧ＩＣチップ搭載の生カードの在庫処分量を削減する。【解決手段】生カードの在庫数を、カード券種ごと、搭載しているＩＣチップの世代ごとに表す生カード在庫情報を管理する手段と、カード券種ごとに、カード発行データの件数をカウントして、カード券種ごとの該件数を表す発行件数情報を作成する手段と、発行件数情報と、生カード在庫情報とを参照して、カード券種ごとに、搭載しているＩＣチップの世代が最も古く、かつカード発行データの件数以上の在庫数がある生カードを、カードを発行するのに用いるものとして特定する手段と、特定した生カードが搭載しているＩＣチップ用のＩＣデータを、カード発行データから生成する手段とを備えることを特徴とするＩＣデータ生成システム。【選択図】図２
2012146013.tif 000002
【特許請求の範囲】
【請求項１】
生カードの在庫数を、カード券種ごと、搭載しているＩＣチップの世代ごとに表す生カード在庫情報を管理する手段と、
カード券種ごとに、カード発行データの件数をカウントして、カード券種ごとの該件数を表す発行件数情報を作成する手段と、
発行件数情報と、生カード在庫情報とを参照して、カード券種ごとに、搭載しているＩＣチップの世代が最も古く、かつカード発行データの件数以上の在庫数がある生カードを、カードを発行するのに用いるものとして特定する手段と、
特定した生カードが搭載しているＩＣチップ用のＩＣデータを、カード発行データから生成する手段とを備えることを特徴とするＩＣデータ生成システム。
【請求項２】
カード発行会社の顧客管理システムから、カード発行データを受信する手段を備えることを特徴とする請求項１記載のＩＣデータ生成システム。
【請求項３】
ＩＣデータを含むカード発行データを印刷会社のカード発行システムに送信する手段を備えることを特徴とする請求項１又は２記載のＩＣデータ生成システム。
【請求項４】
生カードの在庫数を、カード券種ごと、搭載しているＩＣチップの世代ごとに表す生カード在庫情報を管理する手段を備えるシステムが実行する方法であって、
カード券種ごとに、カード発行データの件数をカウントして、カード券種ごとの該件数を表す発行件数情報を作成する工程と、
発行件数情報と、生カード在庫情報とを参照して、カード券種ごとに、搭載しているＩＣチップの世代が最も古く、かつカード発行データの件数以上の在庫数がある生カードを、カードを発行するのに用いるものとして特定する工程と、
特定した生カードが搭載しているＩＣチップ用のＩＣデータを、カード発行データから生成する工程とを含むことを特徴とするＩＣデータ生成方法。
【請求項５】
カード発行会社の顧客管理システムから、カード発行データを受信する工程を含むことを特徴とする請求項４記載のＩＣデータ生成方法。
【請求項６】
ＩＣデータを含むカード発行データを印刷会社のカード発行システムに送信する工程を含むことを特徴とする請求項４又は５記載のＩＣデータ生成方法。
【請求項７】
生カードの在庫数を、カード券種ごと、搭載しているＩＣチップの世代ごとに表す生カード在庫情報を管理する手段を備えるシステムに、
カード券種ごとに、カード発行データの件数をカウントして、カード券種ごとの該件数を表す発行件数情報を作成する工程と、
発行件数情報と、生カード在庫情報とを参照して、カード券種ごとに、搭載しているＩＣチップの世代が最も古く、かつカード発行データの件数以上の在庫数がある生カードを、カードを発行するのに用いるものとして特定する工程と、
特定した生カードが搭載しているＩＣチップ用のＩＣデータを、カード発行データから生成する工程とを実行させることを特徴とするＩＣデータ生成プログラム。
【請求項８】
カード発行会社の顧客管理システムから、カード発行データを受信する工程を実行させることを特徴とする請求項７記載のＩＣデータ生成プログラム。
【請求項９】
ＩＣデータを含むカード発行データを印刷会社のカード発行システムに送信する工程を実行させることを特徴とする請求項７又は８記載のＩＣデータ生成プログラム。
【発明の詳細な説明】
【技術分野】
【０００１】
本発明は、ＩＣデータ生成システム、方法、及びプログラムに関する。
【背景技術】
【０００２】
一般に、クレジットカード等のカードを発行するに際して、ＩＣチップを搭載し、このＩＣチップに、このＩＣチップ用のＩＣデータ（証明書データ、ＩＣチップ内書き込み用の磁気情報など）が未書き込みのカード（以後、生カードと云う）を用意し、カード発行会社が生成したカード発行データから、このＩＣチップ用のＩＣデータを生成して、生カードのＩＣチップに書き込んでいる（例えば特許文献１参照）。
【０００３】
ところで、従来、全てのカード券種に対して同一のＩＣチップを使用し、カード券種ごとにカード券面への印刷内容が別であるカードの発行は、全てのカード券種について、カード発行会社が生成したカード発行データから、予め設定されたＩＣチップ用のＩＣデータを生成して、生カードのＩＣチップに書き込む等のデータ処理をひとまとめにて行う発行システムで行っているために、カードを、旧ＩＣチップ搭載のものから新ＩＣチップ搭載のものへ切り替えるには、以下の手順を踏んでいる。
【０００４】
まず、切替日以前の対応として、（１）切替日を決定し、（２）切替日の時点での旧ＩＣチップ搭載の生カードの在庫数量が多くならないように、この生カード製造枚数数量をコントロールする。
【０００５】
次に、切替日の対応として、（３）使用する生カードを新ＩＣチップ搭載のものとし、（４）発行システムおいて生成するＩＣデータを新ＩＣチップ用のものに切り替える設定変更を行う。
【０００６】
最後に、切替日以降の対応として、（５）旧ＩＣチップ搭載の生カードの在庫を処分し、（６）新ＩＣチップ搭載のカードを発行し、その使用を開始する。
【０００７】
しかしながら、切替日の時点での旧ＩＣチップ搭載の生カードの在庫数量が多くならないように製造枚数数量をコントロールすることは負荷が重く困難なので、旧ＩＣチップ搭載の生カードの在庫処分が大量に発生することがある。
【先行技術文献】
【特許文献】
【０００８】
【特許文献１】特開平１１−３４８４６６号公報
【発明の概要】
【発明が解決しようとする課題】
【０００９】
本発明は斯かる背景技術に鑑みて行ったもので、クレジットカード等のカードのＩＣチップ切替に伴う負荷を低減し、旧ＩＣチップ搭載の生カードの在庫処分量を削減することを課題とする。
【課題を解決するための手段】
【００１０】
本発明において上記課題を解決するために、まず請求項１の発明では、生カードの在庫数を、カード券種ごと、搭載しているＩＣチップの世代ごとに表す生カード在庫情報を管理する手段と、
カード券種ごとに、カード発行データの件数をカウントして、カード券種ごとの該件数を表す発行件数情報を作成する手段と、
発行件数情報と、生カード在庫情報とを参照して、カード券種ごとに、搭載しているＩＣチップの世代が最も古く、かつカード発行データの件数以上の在庫数がある生カードを、カードを発行するのに用いるものとして特定する手段と、
特定した生カードが搭載しているＩＣチップ用のＩＣデータを、カード発行データから生成する手段とを備えることを特徴とするＩＣデータ生成システムとしたものである。
【００１１】
また請求項２に係わる発明では、カード発行会社の顧客管理システムから、カード発行データを受信する手段を備えることを特徴とする請求項１記載のＩＣデータ生成システムとしたものである。
【００１２】
また請求項３に係わる発明では、ＩＣデータを含むカード発行データを印刷会社のカード発行システムに送信する手段を備えることを特徴とする請求項１又は２記載のＩＣデータ生成システムとしたものである。
【００１３】
また請求項４に係わる発明では、生カードの在庫数を、カード券種ごと、搭載しているＩＣチップの世代ごとに表す生カード在庫情報を管理する手段を備えるシステムが実行する方法であって、
カード券種ごとに、カード発行データの件数をカウントして、カード券種ごとの該件数を表す発行件数情報を作成する工程と、
発行件数情報と、生カード在庫情報とを参照して、カード券種ごとに、搭載しているＩＣチップの世代が最も古く、かつカード発行データの件数以上の在庫数がある生カードを、カードを発行するのに用いるものとして特定する工程と、
特定した生カードが搭載しているＩＣチップ用のＩＣデータを、カード発行データから生成する工程とを含むことを特徴とするＩＣデータ生成方法としたものである。
【００１４】
また請求項５に係わる発明では、カード発行会社の顧客管理システムから、カード発行データを受信する工程を含むことを特徴とする請求項４記載のＩＣデータ生成方法としたものである。
【００１５】
また請求項６に係わる発明では、ＩＣデータを含むカード発行データを印刷会社のカード発行システムに送信する工程を含むことを特徴とする請求項４又は５記載のＩＣデータ生成方法としたものである。
【００１６】
また請求項７に係わる発明では、生カードの在庫数を、カード券種ごと、搭載しているＩＣチップの世代ごとに表す生カード在庫情報を管理する手段を備えるシステムに、
カード券種ごとに、カード発行データの件数をカウントして、カード券種ごとの該件数を表す発行件数情報を作成する工程と、
発行件数情報と、生カード在庫情報とを参照して、カード券種ごとに、搭載しているＩＣチップの世代が最も古く、かつカード発行データの件数以上の在庫数がある生カードを、カードを発行するのに用いるものとして特定する工程と、
特定した生カードが搭載しているＩＣチップ用のＩＣデータを、カード発行データから生成する工程とを実行させることを特徴とするＩＣデータ生成プログラムとしたものである。
【００１７】
また請求項８に係わる発明では、カード発行会社の顧客管理システムから、カード発行データを受信する工程を実行させることを特徴とする請求項７記載のＩＣデータ生成プログラムとしたものである。
【００１８】
また請求項９に係わる発明では、ＩＣデータを含むカード発行データを印刷会社のカード発行システムに送信する工程を実行させることを特徴とする請求項７又は８記載のＩＣデータ生成プログラムとしたものである。
【発明の効果】
【００１９】
本発明は、カード券種ごとに、搭載しているＩＣチップの世代が最も古く、かつカード発行データの件数以上の在庫数がある生カードを、クレジットカード等のカードを発行するのに用いるものとして特定し、特定した生カードが搭載しているＩＣチップ用のＩＣデータを、カード発行データから生成するので、切替日を決定し、切替日の時点での旧ＩＣチップ搭載の生カードの在庫数量が多くならないように、この生カード製造枚数数量をコントロールする必要がなくなり、クレジットカード等のカードのＩＣチップ切替に伴う負荷が低減し、旧ＩＣチップ搭載の生カードの在庫処分量を削減できるという効果がある。
【図面の簡単な説明】
【００２０】
【図１】本発明のＩＣデータ生成システムの構成とそれに係わるシステムとを示す図。
【図２】生カード在庫情報の一例を示す図。
【図３】発行件数情報の一例を示す図。
【発明を実施するための形態】
【００２１】
以下に、本発明の一実施形態を説明する。
【００２２】
本発明のＩＣデータ生成システムは、図１に示すように、ＩＣ編集・配信システムと在庫管理システムとを備え、これらＩＣ編集・配信システムと在庫管理システムとはセキュアな環境下に置かれ相互に接続されているものであって、データセンターによって運営されている。
【００２３】
ＩＣ編集・配信システムは、カード発行会社の顧客管理システムと、全銀Ｂａｓｉｃ等の通信プロトコルを利用するネットワークを介して接続され、印刷会社のカード発行システムと、ＨＵＬＦＴ等のデータ通信システムを利用するネットワークを介して接続される。
以下では、全銀Ｂａｓｉｃ及びＨＵＬＦＴを用いて説明するが、これに限られるものではない。
【００２４】
図１には、カード発行会社の顧客管理システム、印刷会社のカード発行システムは、それぞれ、一つしか描かれていないが、これは単純化のためであり、もちろん、ＩＣ編集・配信システムは、複数のカード発行会社の顧客管理システムと接続されても良いし、複数の印刷会社のカード発行システムと接続されても良い。
【００２５】
カード発行会社の顧客管理システムは、カード発行データを生成して、ＩＣ編集・配信システムに全銀Ｂａｓｉｃにて送信する。
【００２６】
カード発行データは、例えば、クレジット会員番号、クレジット有効期限、クレジット会員氏名、クレジットカード送付先住所などの情報を含む。
【００２７】
在庫管理システムは、データベースを有し、このデータベースで、各印刷会社の各生カードの在庫情報（以後、生カード在庫情報と云う）を管理する。
【００２８】
生カード在庫情報は、図２に示すように、表形式の情報であって、項目として、「カード券種」、「ＩＣチップ世代」、「在庫数」がある。
【００２９】
項目「カード券種」の値は、生カードのカード券種である。
【００３０】
項目「ＩＣチップ世代」の値は、生カードに搭載したＩＣチップの世代である。図２に示す生カード在庫情報では、旧世代を０１で表し、新世代を０２で表している。
【００３１】
項目「在庫数」の値は、項目「券種」の値で特定されるカード券種の印刷内容がカード券面に印刷され、項目「ＩＣチップ世代」の値で特定される世代のＩＣチップを搭載する生カードの在庫数である。
【００３２】
ＩＣ編集・配信システムは、カード発行会社の顧客管理システムからカード発行データを全銀Ｂａｓｉｃにて受信し、カード券種ごとに、カード発行データの件数をカウントして、図３に示すような、カード券種ごとの該件数を表す発行件数情報を作成し、発行件数情報と、在庫管理システムが管理している生カード在庫情報とを参照して、カード券種ごとに、搭載しているＩＣチップの世代が最も古く、かつカード発行データの件数以上の在庫数がある生カードを、カードを発行するのに用いるものとして特定し、特定した生カードが搭載しているＩＣチップ用のＩＣデータを、カード発行データから生成して、ＩＣデータを含むカード発行データを印刷会社のカード発行システムにＨＵＬＦＴにて送信する。
【００３３】
印刷会社のカード発行システムは、ＩＣ編集・配信システムからＩＣデータを含むカード発行データをＨＵＬＦＴにて受信し、このＩＣデータを含むカード発行データを用いて、カードの発行、台紙への印字、封入封緘を行う。
【００３４】
以下のＳＴＥＰ１〜８に、ＩＣデータ生成に係わる処理の流れの例を詳細に説明する。
【００３５】
ＳＴＥＰ１；
カード発行会社の顧客管理システムは、カード券種ごとにまとめて、カード発行データを生成して、ＩＣ編集・配信システムに全銀Ｂａｓｉｃにて送信する。
【００３６】
ＳＴＥＰ２；
ＩＣ編集・配信システムは、カード発行会社の顧客管理システムからカードの券種ごとにまとめられているカード発行データを全銀Ｂａｓｉｃにて受信し、カード券種ごとに、カード発行データの件数をカウントして、図３に示すような、カード券種ごとの該件数を表す発行件数情報を作成する。
【００３７】
ＳＴＥＰ３；
ＩＣ編集・配信システムは、発行件数情報と、在庫管理システムがデータベースで管理している生カード在庫情報とを参照して、カード券種ごとに、搭載しているＩＣチップの世代が最も古く、かつカード発行データの件数以上の在庫数がある生カードを、カードを発行するのに用いるものとして特定する。
【００３８】
例えば、発行件数情報が図３に示すものであり、生カード在庫情報が図３に示すものであるとき、カード券種Ａ、Ｃ、Ｄでは、それぞれ、カード発行データの件数が１００、７０、１００件であるのに対して、旧世代を表す０１の世代のＩＣチップを搭載した生カードの在庫数は５００、１０００、５００と、旧世代のＩＣチップを搭載した生カードの在庫数は、カード発行データの件数以上であるので、旧世代のＩＣチップを搭載した生カードを、カードを発行するのに用いるものとして特定する。しかしながら、カード券種Ｂ、
Ｅでは、それぞれ、カード発行データの件数が２００、１００件であるのに対して、旧世代を表す０１の世代のＩＣチップを搭載した生カードの在庫数は１００、５０と、旧世代のＩＣチップを搭載した生カードの在庫数は、カード発行データの件数より少なく、他方、新世代を表す０２の世代のＩＣチップを搭載した生カードの在庫数は１００００、１００００と、新世代のＩＣチップを搭載した生カードの在庫数は、カード発行データの件数以上であるので、新世代のＩＣチップを搭載した生カードを、カードを発行するのに用いるものとして特定する。
【００３９】
ＳＴＥＰ４；
ＩＣ編集・配信システムは、カード券種ごとにまとめられているクレジット発行データそれぞれに、カード券種ごとにカードを発行するのに用いる生カードとして特定したものに搭載されているＩＣチップの世代を表すフラグを付加する。
【００４０】
ＳＴＥＰ５；
ＩＣ編集・配信システムは、カード券種ごとにまとめられているクレジット発行データを、それぞれ、付与したフラグに従って、ＩＣチップ世代ごとに仕分ける。
【００４１】
ＳＴＥＰ６；
ＩＣ編集・配信システムは、カード券種ごとにまとめられＩＣチップ世代ごとに仕分けられているクレジット発行データそれぞれから、仕分けられたＩＣチップ世代用のＩＣデータを生成して、それぞれのクレジット発行データに含める。
【００４２】
ＳＴＥＰ７；
ＩＣ編集・配信システムは、カード券種ごとにまとめられＩＣチップ世代ごとに仕分けられ該ＩＣチップ世代用のＩＣデータを含むクレジット発行データを、印刷会社のカード発行システムにＨＵＬＦＴにて送信する。
【００４３】
ＳＴＥＰ８；
印刷会社のカード発行システムは、ＩＣ編集・配信システムから、カード券種ごとにまとめられＩＣチップ世代ごとに仕分けられ該ＩＣチップ世代用のＩＣデータを含むクレジット発行データを、ＨＵＬＦＴにて受信し、これらカード券種ごとにまとめられＩＣチップ世代ごとに仕分けられ該ＩＣチップ世代用のＩＣデータを含むクレジット発行データを用いて、カードの発行、台紙への印字、封入封緘を行う。
【図１】
2012146013.tif 000003
【図２】
2012146013.tif 000004
【図３】
2012146013.tif 000005